(57)【要約】【課題】楽曲の予約が途切れる状況を防止するためのカラオケ装置を提供する。【解決手段】予約楽曲が登録されていない場合にカラオケ演奏に用いる予備楽曲を登録する予備登録部と、登録されている前記予約楽曲の曲数を監視する監視部と、登録されている前記予約楽曲の曲数が所定数になった時点から経過時間を計測する計測部と、前記経過時間が所定時間となるまでに新たな予約楽曲の登録が無い場合、登録された前記予備楽曲を前記予約楽曲として登録する予約登録部と、を有するカラオケ装置。【選択図】図２
2018173553.tif 000002
【特許請求の範囲】
【請求項１】
予約楽曲が登録されていない場合にカラオケ演奏に用いる予備楽曲を登録する予備登録部と、
登録されている前記予約楽曲の曲数を監視する監視部と、
登録されている前記予約楽曲の曲数が所定数になった時点から経過時間を計測する計測部と、
前記経過時間が所定時間となるまでに新たな予約楽曲の登録が無い場合、登録された前記予備楽曲を前記予約楽曲として登録する予約登録部と、
を有するカラオケ装置。
【請求項２】
前記予約登録部は、前記経過時間が所定時間となるまでに新たな予約楽曲の登録があった場合、前記経過時間の計測を中止させることを特徴とする請求項１記載のカラオケ装置。
【請求項３】
前記計測部は、前記予約楽曲のカラオケ演奏が終了した後、且つ登録されている前記予約楽曲の曲数が０になった時点から経過時間を計測することを特徴とする請求項１または２記載のカラオケ装置。
【請求項４】
登録されている前記予備楽曲が複数ある場合、前記予約登録部は、当該予備楽曲を登録した利用者のうち、最も歌唱機会が少ない利用者が登録した予備楽曲を、前記予約楽曲として登録することを特徴とする請求項１〜３のいずれか一つに記載のカラオケ装置。
【請求項５】
登録されている前記予備楽曲が複数ある場合、前記予約登録部は、当該予備楽曲に基づくメドレー楽曲を編集し、当該メドレー楽曲を前記予約楽曲として登録することを特徴とする請求項１〜３のいずれか一つに記載のカラオケ装置。
【請求項６】
前記予備登録部は、前記カラオケ装置にログインしている利用者の歌唱履歴に基づいて、前記予備楽曲を登録することを特徴とする請求項１〜５のいずれか一つに記載のカラオケ装置。
【請求項７】
前記予備登録部は、前記予備楽曲を登録した利用者が前記カラオケ装置からログアウトした場合、前記予備楽曲の登録を削除することを特徴とする請求項１〜６のいずれか一つに記載のカラオケ装置。
【請求項８】
楽曲のカラオケ演奏を行う演奏処理部を有し、
前記演奏処理部は、前記予約楽曲として登録された予備楽曲のカラオケ演奏中に新たな予約楽曲の登録があった場合、前記予備楽曲のカラオケ演奏を中止させることを特徴とする請求項１〜７のいずれか一つに記載のカラオケ装置。
【発明の詳細な説明】
【技術分野】
【０００１】
本発明はカラオケ装置に関する。
【背景技術】
【０００２】
複数の利用者でカラオケ歌唱を行う場合、各利用者はリモコン装置等を介してカラオケ歌唱したい楽曲を選曲する。カラオケ装置は、利用者が選曲した楽曲を予約待ち行列に登録し、順番にカラオケ演奏を行う。
【０００３】
一方、時間経過と共に、予約待ち行列に登録されている楽曲が無くなり、カラオケ演奏が行われない状況（カラオケ楽曲の予約が途切れる状況）が発生することがある。
【０００４】
このように、カラオケ楽曲の予約が途切れる状況になると、盛り上がった場の雰囲気が壊れてしまったり、利用者同士が遠慮し合って次の楽曲予約が行い難い雰囲気となることがある。
【０００５】
ここで、特許文献１には、一定時間以内に楽曲の予約がなされない場合、人気ランキング上位曲や、ジャンル又は歌手別曲目等の情報を利用者に提示する技術が開示されている。
【先行技術文献】
【特許文献】
【０００６】
【特許文献１】特開２０００−３３８９８３号公報
【発明の概要】
【発明が解決しようとする課題】
【０００７】
しかし、特許文献１の技術は、利用者に所定の楽曲を提示するものに過ぎず、利用者に対して楽曲の予約を積極的に促すものではない。また、特許文献１の技術によって提示される楽曲は利用者との関連性を考慮したものではないため、提示された楽曲の中に利用者が歌唱できる楽曲が無い場合や、今の気分や雰囲気で歌唱したいと思える楽曲が無い場合もありうる。
【０００８】
本発明の目的は、楽曲の予約が途切れる状況を防止するためのカラオケ装置を提供することにある。
【課題を解決するための手段】
【０００９】
上記目的を達成するための主たる発明は、予約楽曲が登録されていない場合にカラオケ演奏に用いる予備楽曲を登録する予備登録部と、登録されている前記予約楽曲の曲数を監視する監視部と、登録されている前記予約楽曲の曲数が所定数になった時点から経過時間を計測する計測部と、前記経過時間が所定時間となるまでに新たな予約楽曲の登録が無い場合、登録された前記予備楽曲を前記予約楽曲として登録する予約登録部と、を有するカラオケ装置である。
本発明の他の特徴については、後述する明細書及び図面の記載により明らかにする。
【発明の効果】
【００１０】
本発明によれば、楽曲の予約が途切れる状況を防止できる。
【図面の簡単な説明】
【００１１】
【図１】実施形態に係るカラオケ装置のハードウェア構成例を示す図である。
【図２】実施形態に係るカラオケ本体のソフトウェア構成例を示す図である。
【図３】実施形態に係るリモコン装置の表示画面を示す図である。
【図４】実施形態に係るカラオケ装置の処理を示すフローチャートである。
【発明を実施するための形態】
【００１２】
後述する明細書及び図面の記載から、上記の主たる発明の他、少なくとも以下の事項が明らかとなる。
【００１３】
すなわち、前記予約登録部が、前記経過時間が所定時間となるまでに新たな予約楽曲の登録があった場合、前記経過時間の計測を中止させるカラオケ装置が明らかとなる。このようなカラオケ装置によれば、予約楽曲の登録があった場合には、予備楽曲を予約楽曲として登録することを中止できる。
【００１４】
また、前記計測部が、前記予約楽曲のカラオケ演奏が終了した後、且つ登録されている前記予約楽曲の曲数が０になった時点から経過時間を計測するカラオケ装置が明らかとなる。このようなカラオケ装置によれば、予約楽曲が完全になくなった場合に予備楽曲を予約楽曲として登録することができる。
【００１５】
また、登録されている前記予備楽曲が複数ある場合、前記予約登録部が、当該予備楽曲を登録した利用者のうち、最も歌唱機会が少ない利用者が登録した予備楽曲を、前記予約楽曲として登録するカラオケ装置が明らかとなる。このようなカラオケ装置によれば、歌唱機会の少ない利用者であってもカラオケ歌唱を行う機会を得ることが可能となる。
【００１６】
また、登録されている前記予備楽曲が複数ある場合、前記予約登録部が、当該予備楽曲に基づくメドレー楽曲を編集し、当該メドレー楽曲を前記予約楽曲として登録するカラオケ装置が明らかとなる。このようなカラオケ装置によれば、登録されている予備楽曲全てを少しずつ歌唱する機会を得ることができる。
【００１７】
また、前記予備登録部が、前記カラオケ装置にログインしている利用者の歌唱履歴に基づいて、前記予備楽曲を登録するカラオケ装置が明らかとなる。このようなカラオケ装置によれば、予備楽曲の登録を自動化できる。
【００１８】
また、前記予備登録部が、前記予備楽曲を登録した利用者が前記カラオケ装置からログアウトした場合、前記予備楽曲の登録を削除するカラオケ装置が明らかとなる。このようなカラオケ装置によれば、利用者が歌唱できない楽曲のカラオケ演奏が行われることがない。
【００１９】
更に、楽曲のカラオケ演奏を行う演奏処理部を有し、前記演奏処理部が、前記予約楽曲として登録された予備楽曲のカラオケ演奏中に新たな予約楽曲の登録があった場合、前記予備楽曲のカラオケ演奏を中止させるカラオケ装置が明らかとなる。このようなカラオケ装置によれば、予約楽曲を優先的にカラオケ演奏することができる。
【００２０】
＜実施形態＞
図１〜図４を参照して、実施形態に係るカラオケ装置１について説明する。
【００２１】
＝＝カラオケ装置＝＝
カラオケ装置１は、カラオケ演奏及び利用者がカラオケ歌唱を行うための装置である。図１に示すように、カラオケ装置１は、カラオケ本体１０、スピーカ２０、表示装置３０、マイク４０、及びリモコン装置５０を備える。
【００２２】
スピーカ２０はカラオケ本体１０からの放音信号に基づいて放音するための構成である。表示装置３０はカラオケ本体１０からの信号に基づいて映像や画像を画面に表示するための構成である。マイク４０は利用者の歌唱音声（マイク４０からの入力音声）をアナログの音声信号に変換してカラオケ本体１０に入力するための構成である。リモコン装置５０は、カラオケ本体１０に対する各種操作をおこなうための装置である。利用者はリモコン装置５０を用いてカラオケ歌唱を希望する楽曲の選曲（予約）等を行うことができる。リモコン装置５０の表示画面には各種操作の指示入力を行うためのアイコン等が表示される。
【００２３】
カラオケ本体１０は、選曲された楽曲のカラオケ演奏制御、歌詞や背景映像等の表示制御、マイク４０を通じて入力された音声信号の処理といった、カラオケ歌唱に関する各種の制御を行う。図１に示すように、カラオケ本体１０は、制御部１１、通信部１２、記憶部１３、音響処理部１４、表示処理部１５及び操作部１６を備える。各構成はインターフェース（図示なし）を介してバスＢに接続されている。
【００２４】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００２５】
通信部１２は、ルーター（図示なし）を介してカラオケ本体１０を通信回線に接続するためのインターフェースを提供する。
【００２６】
記憶部１３は、各種のデータを記憶する大容量の記憶装置であり、たとえばハードディスクドライブなどである。記憶部１３は、カラオケ装置１によりカラオケ演奏を行うための複数の楽曲データを記憶する。
【００２７】
楽曲データは、個々の楽曲を特定するための楽曲ＩＤが付与されている。楽曲データは、伴奏データ、リファレンスデータ、ガイドメロディデータ等を含む。伴奏データは、カラオケ演奏音の元となるデータである。リファレンスデータは、利用者によるカラオケ歌唱を採点する際の基準として用いられるデータである。ガイドメロディデータは、利用者のカラオケ歌唱を支援するガイドメロディを構成するデータである。リファレンスデータ及びガイドメロディデータは、ある楽曲の歌唱旋律（メロディ）を示すデータであり、音高データ及び音長データを含んで構成される。
【００２８】
また、記憶部１３は、各楽曲に対応する歌詞テロップを表示装置３０等に表示させるための歌詞テロップデータ、カラオケ演奏時に表示装置３０等に表示される背景画像等の背景画像データ、及び楽曲の属性情報（歌手名、作詞・作曲者名、ジャンル等の当該楽曲に関する情報）を記憶する。
【００２９】
音響処理部１４は、制御部１１の制御に基づき、楽曲に対するカラオケ演奏の制御およびマイク４０を通じて入力された歌唱音声信号の処理を行う。音響処理部１４は、たとえばＭＩＤＩ音源、ミキサ、アンプ（いずれも図示なし）を含む。ＭＩＤＩ音源は、楽曲データに基づいて楽音信号を生成する。ミキサは、当該音楽信号およびマイク４０から出力される音声信号を適当な比率でミキシングしてアンプに出力する。アンプは、ミキサからのミキシング信号を増幅し、放音信号としてスピーカ２０へ出力する。これにより、スピーカ２０からは放音信号に基づくカラオケ演奏音およびマイク４０からの歌唱音声が放音される。
【００３０】
表示処理部１５は、制御部１１の制御に基づき、表示装置３０やリモコン装置５０における各種表示に関する処理を行う。たとえば、表示処理部１５は、カラオケ演奏時における背景映像に歌詞テロップや各種アイコンが重ねられた映像を表示装置３０に表示させる制御を行う。或いは、表示処理部１５は、リモコン装置５０の表示画面に操作入力用の各種アイコンを表示させる。
【００３１】
操作部１６は、パネルスイッチおよびリモコン受信回路などからなり、利用者によるカラオケ装置１のパネルスイッチあるいはリモコン装置５０の操作に応じて選曲信号、演奏中止信号などの操作信号を制御部１１に対して出力する。制御部１１は、操作部１６からの操作信号を検出し、対応する処理を実行する。
【００３２】
（ソフトウェア構成）
図２はカラオケ本体１０のソフトウェア構成例を示す図である。カラオケ本体１０は、予備登録部１００、監視部２００、計測部３００、予約登録部４００、及び演奏処理部５００を備える。予備登録部１００、監視部２００、計測部３００、予約登録部４００、及び演奏処理部５００は、ＣＰＵ１１ａがメモリ１１ｂに記憶されるプログラムを実行することにより実現される。
【００３３】
［予備登録部］
予備登録部１００は、予約楽曲が登録されていない場合にカラオケ演奏に用いる予備楽曲を登録する。
【００３４】
予約楽曲は、利用者がカラオケ歌唱を希望する楽曲である。予約楽曲は、利用者がリモコン装置５０を用いて選曲する。リモコン装置５０は、選曲された楽曲に対応する楽曲ＩＤ等をカラオケ本体１０に送信する。カラオケ本体１０は、受信した楽曲ＩＤを予約待ち行列に登録する。予約待ち行列は、たとえば、記憶部１３の記憶領域の一部として提供される。予約待ち行列に登録される楽曲ＩＤには、当該楽曲を選曲した利用者を識別するための利用者ＩＤが関連付けられていてもよい。利用者ＩＤは、利用者がリモコン装置５０を介してカラオケ装置１にログインすることにより得られる。
【００３５】
予備楽曲は、予約楽曲が登録されていない場合にカラオケ演奏に用いる楽曲である。具体的には、予備楽曲は、利用者が現時点で歌唱する意思はないものの、楽曲の予約が途切れた場合にはカラオケ歌唱してもよいと考える楽曲である。
【００３６】
予備楽曲は、予約楽曲と同様、利用者がリモコン装置５０等を用いて選曲することができる。たとえば、利用者は、リモコン装置５０で楽曲を選曲する。選曲した結果は、リモコン装置５０の表示画面に表示される（図３参照）。ここで、利用者が当該楽曲を予備楽曲として登録したいと考えた場合、「予備登録」アイコン（図３参照）を選択する。
【００３７】
この場合、予備登録部１００は、当該楽曲の楽曲ＩＤ及び利用者ＩＤを関連付けて、予備登録メモリに登録する。予備登録メモリは、たとえば記憶部１３の記憶領域の一部として提供される。
【００３８】
なお、図３に示された「予約登録」アイコンが選択された場合、予約登録部４００は、当該楽曲を予約楽曲として予約待ち行列に登録する。
【００３９】
或いは、予備楽曲の登録を自動で行ってもよい。具体的には、予備登録部１００は、カラオケ装置１にログインしている利用者の歌唱履歴に基づいて、予備楽曲を登録することも可能である。
【００４０】
歌唱履歴は、利用者が過去に歌唱した楽曲を示す情報（楽曲ＩＤ等）を含む。利用者の歌唱履歴は、サーバ装置（図示無し）に記憶されている。カラオケ装置１は、たとえば、利用者Ａがログインした場合、利用者Ａの利用者ＩＤをサーバ装置に送信する。サーバ装置は、当該利用者ＩＤに対応する利用者Ａの歌唱履歴をカラオケ装置１に送信する。
【００４１】
予約登録部１００は、歌唱履歴に基づいて利用者Ａが過去に歌唱した楽曲の中から最も歌唱頻度が高い楽曲を選び、当該楽曲を予備楽曲として予備登録メモリに登録する。歌唱履歴から選ばれる楽曲は、歌唱頻度が最も高い楽曲に限られない。たとえば、最も直近で歌唱した楽曲や最も歌唱頻度が少ない楽曲が選曲されてもよいし、歌唱履歴の中から当日歌唱されていない楽曲や採点結果の良い楽曲等を選曲してもよい。
【００４２】
予備楽曲の登録は、予約楽曲を選曲する場合と同様、カラオケ装置１を使用中の任意のタイミングで行うことができる。たとえば、カラオケ歌唱を開始する前に利用者それぞれが予備楽曲となる楽曲を予め選曲しておくことが可能である。或いは、カラオケ歌唱を行っている最中にリモコン装置５０を介して予備楽曲となる楽曲を選曲することでもよい。また、予備楽曲は、少なくとも一つ登録されていればよい。
【００４３】
なお、予備登録部１００は、選曲された予備楽曲を予備登録メモリに登録する代わりに、予約待ち行列に登録することでもよい。この場合、予備楽曲は常に予約待ち行列の最後になるよう管理される。たとえば、新たな予約楽曲の登録があった場合、予約登録部４００は、当該新たな予約楽曲を予備楽曲の前に割り込み登録する。
【００４４】
［監視部］
監視部２００は、登録されている予約楽曲の曲数を監視する。
【００４５】
具体的に、監視部２００は、予約待ち行列に登録されている予約楽曲の曲数を所定のタイミングで定期的に監視する。
【００４６】
所定のタイミングは、たとえば、予約楽曲の演奏が終了する毎である。予約楽曲の数が多い場合等には、所定のタイミングは２曲演奏される毎等であってもよい。
【００４７】
監視部２００は、監視を行った都度、その結果（曲数）を計測部３００に出力する。
【００４８】
［計測部］
計測部３００は、登録されている予約楽曲の曲数が所定数になった時点から経過時間を計測する。
【００４９】
所定数は、経過時間の計測開始タイミングを決定するために設定される任意の数である。
【００５０】
ここで、計測部３００は、予約楽曲のカラオケ演奏が終了した後、且つ登録されている予約楽曲の曲数が０になった時点からの経過時間を計測することが可能である。具体的に、まず計測部３００は、予約楽曲のカラオケ演奏の終了タイミングを確認する。予約楽曲のカラオケ演奏が終了した後、計測部３００は、監視部２００から出力された監視結果（予約待ち行列に登録されている予約楽曲の曲数）を確認する。そして、計測部３００は、予約楽曲の曲数が０である場合、その時点から経過時間の計測を開始する。この例において、所定数は「０」となる。
【００５１】
或いは、予め予約楽曲が無くなる可能性を考慮して経過時間の計測を開始することでもよい。たとえば、計測部３００は、予約待ち行列に登録されている楽曲数が２曲以下になった時点から経過時間の計測を開始してもよい。この例において、所定数は「２」となる。
【００５２】
計測部３００は、計測した経過時間を順次、予約登録部４００に出力する。
【００５３】
［予約登録部］
予約登録部４００は、楽曲予約に関する各種処理を行う。
【００５４】
上述の通り、図３に示された「予約登録」アイコンが選択された場合、予約登録部４００は、当該楽曲を予約楽曲として予約待ち行列に登録する。予約登録部４００は、予約待ち行列に登録された順番に、楽曲ＩＤを読み出して演奏処理部５００に出力する。そして、予約登録部４００は、演奏処理部５００に出力した予約楽曲の楽曲ＩＤを予約待ち行列から消去する。
【００５５】
また、本実施形態に係る予約登録部４００は、経過時間が所定時間となるまでに新たな予約楽曲の登録が無い場合、登録された予備楽曲を予約楽曲として登録する。
【００５６】
所定時間は、予備楽曲を予約楽曲として登録するタイミングを決定するための時間である。所定時間は、予め設定されている値を用いてもよいし、所望の時間を都度設定してもよい。たとえば、楽曲の予約に消極的な利用者ばかりでカラオケ歌唱を行う場合、所定時間を長めに設定することが可能である。所定時間の設定は、たとえばリモコン装置５０を介して行うことができる。
【００５７】
予約登録部４００は、計測部３００から入力された経過時間と所定時間とを比較する。併せて、予約登録部４００は、経過時間の計測開始から所定時間になるまで新たな予約楽曲の登録が無いか（リモコン装置５０等から予約登録の指示が無いか）を確認する。
【００５８】
新たな予約楽曲の登録が無いまま、所定時間になった場合、予約登録部４００は、予備登録メモリから予備楽曲の楽曲ＩＤを読み出して、予約待ち行列に当該楽曲ＩＤを登録する。このように、予備楽曲が予約待ち行列に登録されることにより、予備楽曲は予約楽曲として処理される。なお、予約登録部４００は、予約待ち行列に予備楽曲の楽曲ＩＤを登録する際、当該楽曲ＩＤが予備楽曲として登録されたことを示す識別子を関連付けて登録してもよい。
【００５９】
［演奏処理部］
演奏処理部５００は、楽曲のカラオケ演奏を行う。
【００６０】
具体的に、演奏処理部５００は、予約登録部４００から予約楽曲の楽曲ＩＤの入力を受けると、当該楽曲ＩＤに対応する楽曲データを記憶部１３から読み出し、予約楽曲のカラオケ演奏を行う。
【００６１】
＝＝カラオケ装置１の動作について＝＝
次に、図４を参照して本実施形態におけるカラオケ装置１の動作の具体例について述べる。図４は、カラオケ装置１の動作例を示すフローチャートである。
【００６２】
複数の利用者のうち、ある利用者がカラオケ歌唱を行うにあたり予備楽曲の登録を行うとする。この場合、ある利用者は、任意の楽曲を選曲し、予備楽曲として登録する指示を行う。
【００６３】
予備登録部１００は、当該指示に基づいて、予備楽曲を予備登録メモリに登録する（予備楽曲の登録。ステップ１０）。
【００６４】
その後、各利用者は、所望の楽曲を選曲し、カラオケ歌唱を行う。選曲された楽曲は、予約待ち行列に登録される。
【００６５】
監視部２００は、予約待ち行列に登録されている予約楽曲の曲数を監視する（予約楽曲の曲数を監視。ステップ１１）。監視部２００は、監視結果を計測部３００に出力する。
【００６６】
計測部３００は、ステップ１１で得られる監視結果と所定数を比較する。
【００６７】
登録されている予約楽曲の曲数が所定数になった場合（ステップ１２でＹの場合）、計測部３００は、その時点から経過時間を計測する（経過時間の計測。ステップ１３）。計測部３００は、経過時間を予約登録部４００に出力する。
【００６８】
予約登録部４００は、ステップ１３で得られる経過時間と所定時間を比較する。
【００６９】
経過時間が所定時間となり（ステップ１４でＹの場合）、且つ経過時間の計測開始から所定時間までに新たな予約楽曲の登録が無い場合（ステップ１５でＹの場合）、予約登録部４００は、ステップ１０で登録された予備楽曲を予約楽曲として予約待ち行列に登録する（予備楽曲を予約楽曲として登録。ステップ１６）。
【００７０】
演奏処理部５００は、ステップ１６で登録された楽曲のカラオケ演奏を行う（カラオケ演奏。ステップ１７）。
【００７１】
このように、本実施形態に係るカラオケ装置１は、予備楽曲を登録する予備登録部１００と、登録されている予約楽曲の曲数を監視する監視部２００と、登録されている予約楽曲の曲数が所定数になった時点から経過時間を計測する計測部３００と、経過時間が所定時間となるまでに新たな予約楽曲の登録が無い場合、登録された予備楽曲を予約楽曲として登録する予約登録部４００を有する。
【００７２】
従って、新たな予約楽曲の登録が無い場合には、予備楽曲を予約楽曲として登録できるため、予約待ち行列に登録されている予約楽曲が無くなったとしても、楽曲の予約が途切れることが無い。従って、カラオケ演奏が行われないような状況が回避できるため、盛り上がった場の雰囲気が壊れるといった事態を招くことがない。
【００７３】
また、本実施形態に係る計測部３００は、予約楽曲のカラオケ演奏が終了した後、且つ登録されている予約楽曲の曲数が０になった時点から経過時間を計測することができる。従って、予約楽曲が完全になくなった場合に予備楽曲を予約楽曲として登録することができる。
【００７４】
また、本実施形態に係る予備登録部４００は、カラオケ装置１にログインしている利用者の歌唱履歴に基づいて、予備楽曲を登録することができる。つまり、予備楽曲の登録を自動化できる。従って、利用者はカラオケ装置１にログインするだけでよく、自ら予備楽曲の選曲を行う必要が無いため簡便である。
【００７５】
なお、演算処理部５００は必須の構成ではない。本実施形態に係るカラオケ装置１が予備登録部１００、監視部２００、計測部３００、及び予約登録部４００を備えることにより、楽曲の予約が途切れる状況を防止できる。
【００７６】
＜その他＞
予備楽曲の登録を行った利用者が途中でカラオケ歌唱の場から離れる可能性（急用で先に帰宅する等）がありうる。このような場合、仮に登録された予備楽曲のカラオケ演奏が行われたとしても、他の利用者は歌唱できない可能性がありうる。
【００７７】
そこで、予備登録部１００は、予備楽曲を登録した利用者がカラオケ装置１からログアウトした場合、予備楽曲の登録を削除することでもよい。具体的には、予備登録部１００は、ログアウト信号を受信した場合、当該ログアウトの指示を行った利用者の利用者ＩＤと同じ利用者ＩＤが関連付けられている予備楽曲が無いか、予備登録メモリを検索する。もし、同じ利用者ＩＤが関連付けられている予備楽曲があった場合、予備登録部１００は、当該予備楽曲を予備登録メモリから削除する。この場合、当該予備楽曲が予約楽曲として登録されることがないため、他の利用者が歌唱できない楽曲のカラオケ演奏が開始されるといった事態が生じえない。
【００７８】
また、予約楽曲の登録されるタイミングは様々である。たとえば、経過時間の計測が開始された後に新たな予約楽曲の登録がなされる場合もありうる。この場合、当該予約楽曲のカラオケ演奏を行えばよいため、予備楽曲を予約楽曲として登録する必要は無い。
【００７９】
そこで、予約登録部４００は、経過時間が所定時間となるまでに新たな予約楽曲の登録があった場合、経過時間の計測を中止させることが可能である。
【００８０】
具体的に、経過時間が所定時間となるまでに新たな予約楽曲の登録があった場合、予約登録部４００は、計測部３００に対して計測の中止信号を出力する。計測部３００は、中止信号に基づいて経過時間の計測を中止（リセット）する。その後、計測部３００は、登録されている予約楽曲の曲数が所定数になった時点から改めて経過時間の計測を開始する。このようなカラオケ装置１によれば、新たな予約楽曲の登録があった場合には、予備楽曲を予約楽曲として登録することを中止できる。
【００８１】
或いは、予約楽曲として登録された予備楽曲のカラオケ演奏中に新たな予約楽曲の登録がなされる場合もありうる。この場合、カラオケ歌唱を望む利用者が予約した予約楽曲を極力早くカラオケ演奏することが好ましい。
【００８２】
そこで、演奏処理部５００は、予約楽曲として登録された予備楽曲のカラオケ演奏中に新たな予約楽曲の登録があった場合、予備楽曲のカラオケ演奏を中止させることが可能である。
【００８３】
具体的に、予約登録部４００は、新たな予約楽曲の登録を行った場合、その旨の信号を演奏処理部５００に出力する。演奏処理部５００は、当該信号の入力を受けた場合、現在カラオケ演奏を行っているかどうかを判断する。現在カラオケ演奏を行っている場合、演奏処理部５００は、現在カラオケ演奏を行っている楽曲が予備楽曲であるかどうかを判断する。予備楽曲であるかどうかの判断は、たとえば、予備楽曲の楽曲ＩＤに関連付けられた識別子に基づいて行う。
【００８４】
現在カラオケ演奏を行っている楽曲が予備楽曲である場合、演奏処理部５００は、予備楽曲のカラオケ演奏を中止させる。中止の処理は、現在カラオケ演奏を行っている楽曲が予備楽曲と判断した場合にすぐカラオケ演奏を停止する処理でもよいし、カラオケ演奏を徐々にフェードアウトする処理でもよい。このようなカラオケ装置１によれば、予備楽曲のカラオケ演奏中に新たな予約楽曲の登録があった場合、当該予約楽曲を優先的にカラオケ演奏することができる。
【００８５】
また、ある利用者が予備楽曲を複数選曲した場合や、複数の利用者それぞれが予備楽曲を選曲した場合、予備登録メモリには、複数の予備楽曲が登録されることになる。
【００８６】
この場合、予約登録部４００は、経過時間が所定時間となるまでに新たな予約楽曲の登録が無い場合、登録された予備楽曲を登録された順番に予約楽曲として登録することが可能である。
【００８７】
一方、複数の利用者でカラオケ歌唱を行う場合、利用者によって歌唱する機会にばらつきが生じることがある。
【００８８】
そこで、予約登録部４００は、登録されている予備楽曲が複数ある場合、当該予備楽曲を登録した利用者のうち、最も歌唱機会が少ない利用者が登録した予備楽曲を、予約楽曲として登録することが可能である。
【００８９】
各利用者の歌唱機会は、予約楽曲に関連付けられている利用者ＩＤに基づいて判断することが可能である。予約登録部４００は、予約楽曲の利用者ＩＤを利用者毎にカウントし、最も数の少ない利用者ＩＤに対応する利用者を最も歌唱機会が少ない利用者と判断する。予約登録部４００は、当該利用者の利用者ＩＤが関連付けられている予備楽曲を予備登録メモリから読み出し、予約楽曲として登録する。このようなカラオケ装置１によれば、歌唱機会の少ない利用者であってもカラオケ歌唱を行う機会を得ることが可能となる。
【００９０】
或いは、予約登録部４００は、登録されている予備楽曲が複数ある場合、当該予備楽曲に基づくメドレー楽曲を編集し、当該メドレー楽曲を予約楽曲として登録することが可能である。
【００９１】
メドレー楽曲の編集は、様々な手法で行うことが可能である。たとえば、予備楽曲として楽曲Ｘ１〜Ｘ４の４曲が登録されている場合、予約登録部４００は、それぞれの楽曲に設定されている演奏区間（たとえば、サビ、Ａメロ）を指定し、各演奏区間を所定の順番で組み合わせることによりメドレー楽曲を編集する。演奏区間の指定は、予め設定された条件（たとえば、サビ）に基づいて行われてもよいし、楽曲毎にランダムに行われることでもよい。
【００９２】
予約登録部４００は、編集したメドレー楽曲を予約楽曲として登録する。このようなカラオケ装置１によれば、登録されている予備楽曲全てを少しずつ歌唱する機会を得ることができる。
【００９３】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００９４】
１  カラオケ装置
１０  カラオケ本体
１１  制御部
１００  予備登録部
２００  監視部
３００  計測部
４００  予約登録部
【図１】
2018173553.tif 000003
【図２】
2018173553.tif 000004
【図３】
2018173553.tif 000005
【図４】
2018173553.tif 000006